(57)【要約】      （修正有）【課題】撮影者がデジタルカメラを保持する姿勢の違いに応じて、ウエアラブルディスプレイに表示する表示内容を制御する撮像装置システムを提供する。【解決手段】撮像装置システムは、ウエアラブルディスプレイ１とデジタルカメラ１０を有する。ウエアラブルディスプレイは、メガネ部の左右に撮像手段３Ｌ、３Ｒ、両方のメガネ部に表示手段、近接検知手段及びデジタルカメラとの通信手段を有する。デジタルカメラは、姿勢検知手段、近接検知手段、撮像手段、ウエアラブルディスプレイとの通信手段を有する。上記手段により、ウエアラブルディスプレイの表示手段への表示内容を制御する。【選択図】図４
2018042154.tif 000002
【特許請求の範囲】
【請求項１】
頭部装着型表示装置（ウエアラブルディスプレイ）と撮像装置（デジタルカメラ）を有し、
頭部装着型表示装置（ウエアラブルディスプレイ）は以下の手段を有する
メガネ部の左右に撮像手段（ＣＣＤカメラ）、両方のメガネ部に表示手段（投影手段と透過レンズ）、近接検知手段（ＮＦＣアンテナ）、撮像装置との通信手段（ワイヤレスＬＡＮモジュール）。
撮像装置（デジタルカメラ）は以下の手段を有する
姿勢検知手段（姿勢検知センサ）、近接検知手段（ＮＦＣアンテナ）、撮像手段（ＣＭＯＳセンサ）、頭部装着型表示装置との通信手段（ワイヤレスＬＡＮモジュール）。
上記手段により、
頭部装着型表示装置（ウエアラブルディスプレイ）の表示手段への表示内容を制御する
ことを特徴とする撮像装置システム。
【発明の詳細な説明】
【技術分野】
【０００１】
本発明は、頭部装着型表示装置を利用した撮像装置システムに関して、特に表示装置の制御方法に関する。
【背景技術】
【０００２】
従来のファインダー付きカメラでは、 ファインダーを使用した撮影中を行う場合、片目でファインダー内、もう片方の目でファインダー外の周辺状況の確認を行いたいが、ファインダーを使用する目の左右、カメラの姿勢、等、使用状態によっては難しいことがあった。そこで、頭部装着型表示装置を利用した撮影方法が以下のように考案されている。
【０００３】
例えば、特許文献１では、周囲環境センサ、撮影対象センサ、画像解析部、位置情報取得部又は通信部の少なくとも２つ以上を有し、それぞれから外界情報を取得する外界情報取得手段と、２つ以上の外界情報に基づいて、スルー状態と画像表示状態の切換制御を行う。
【先行技術文献】
【特許文献】
【０００４】
【特許文献１】特開２０１３−１７４８９８号公報
【発明の概要】
【発明が解決しようとする課題】
【０００５】
しかしながら、上述の特許文献に開示された従来技術での頭部装着型表示装置への表示制御は、撮影者が保持するカメラ姿勢に対応した制御となっていないため、片目でファインダー内を見ているとき、同時にもう片方の目でファインダー外の周辺状況の確認を行いたいという要望に対して、必ずしも満たせていない。
【０００６】
そこで、本発明の目的は、撮影者が保持するカメラ姿勢の違いに対応した、頭部装着型表示装置への表示を制御することを可能にした、頭部装着型表示装置を利用した撮像装置システムを提供することである。
【課題を解決するための手段】
【０００７】
上記目的を達成するために、本発明による撮像装置システムは、頭部装着型表示装置と撮像装置を有する。
頭部装着型表示装置は以下の手段を有する
メガネ部の左右に撮像手段
両方のメガネ部に表示手段
近接検知手段
撮像装置との通信手段
撮像装置は以下の手段を有する
姿勢検知手段
近接検知手段
撮像手段
頭部装着型表示装置との通信手段
上記手段により
頭部装着型表示装置の表示手段への表示内容を制御することを特徴とする。
【発明の効果】
【０００８】
本発明によれば、撮影者が保持するカメラ姿勢の違いに対応して、好適に表示を制御することを可能にした、撮像装置システムを提供することができる。
【図面の簡単な説明】
【０００９】
【図１】本発明の第一の実施例であるウエアラブルディスプレイの斜視図である。
【図２】本発明の第一の実施例であるデジタルカメラの斜視図である。
【図３】本発明の第一の実施例であるデジタルカメラとウエアラブルディスプレイの制御構成を示すブロック図である。
【図４】本発明の第一の実施例であるデジタルカメラのファインダーを右目で使用する時の保持姿勢とウエアラブルディスプレイの位置関係を表す図である。
【図５】本発明の第一の実施例であるデジタルカメラのファインダーを左目で使用する時の保持姿勢とウエアラブルディスプレイの位置関係を表す図である。
【図６】本発明の第一の実施例であるデジタルカメラとウエアラブルディスプレイの位置関係によるウエアラブルディスプレイへの表示制御フローである。
【図７】本発明の第一の実施例であるウエアラブルディスプレイの表示内容を表した図である。
【発明を実施するための形態】
【００１０】
以下に、本発明の好ましい実施の形態を、添付の図面に基づいて詳細に説明する。
【実施例１】
【００１１】
以下、本発明の好適な実施形態について、添付図面を参照して詳細に説明する。図１は、本実施例の撮像装置システムにおける、頭部装着型表示装置としてのウエアラブルディスプレイ１の斜視図である。
【００１２】
ウエアラブルディスプレイ１は、撮像手段（右）３Ｒ、撮像手段（左）３Ｌ、表示手段（右）４Ｒ、表示手段（左）４Ｌ、近接検知手段（右）５Ｒ、近接検知手段（左）５Ｌ、撮像装置としてのデジタルカメラ１０との通信手段６、制御部１１(不図示)、腕部１４、グリップ部１５を持つ。使用時は腕部１４を耳に掛け、一般的な眼鏡と同様に、頭部に装着する。
【００１３】
撮像手段（右）３Ｒおよび撮像手段（左）３Ｌは、ＣＣＤセンサおよび撮影レンズを持つカメラモジュールによって構成され、表示手段より外側に配置され、周辺環境を撮像することに用いられる。撮像に用いられるセンサは、ＣＭＯＳセンサ等、他の手段であっても構わず、撮像方式は問わない。
【００１４】
表示手段（右）４Ｒ、表示手段（左）４Ｌは、不図示の投影手段と透過性を持つレンズにより構成され、透過および非透過の状態を切り替える事が出来る。投影手段により投影された画像信号を、前記レンズに表示する。表示手段として半透過型液晶等を用いても構わず、画像信号を透過して表示することができれば、その表示方法は問わない。
【００１５】
近接検知手段（右）５Ｒ、近接検知手段（左）５Ｌは、ＮＦＣ（近距離無線通信）アンテナにより構成され、デジタルカメラ１０に配置された近接検知手段５Ｃとの組み合わせにより、近接検知手段（右）５Ｒもしくは近接検知手段（左）５Ｌの近接を検知する。
【００１６】
磁石および磁気センサを配置しても良い。この場合は、例えば両極検知式のホール素子に対して、近接検知手段に配置する磁石の極性を、近接検知手段（右）５ＲをＮ極、近接検知手段（左）５ＬをＳ極とすることで、近接検知手段（右）５Ｒと近接検知手段（左）５Ｌの判別を行うことができる。このように、デジタルカメラ１０に対する近接検知手段（右）５Ｒもしくは近接検知手段（左）５Ｌの近接を検知できれば、手段は問わない。
通信手段６は、ワイヤレスＬＡＮ（Ｗｉ−Ｆｉ）モジュールで構成され、デジタルカメラ１０との非接触通信に用いられる。
【００１７】
本実施例では、後述のデジタルカメラ１０にも搭載され、ウエアラブルディスプレイ１とデジタルカメラ１０の間において、撮像信号、近接検知手段（右）５Ｒもしくは近接検知手段（左）５Ｌの近接検知結果を、相互に通信する。非接触通信が可能な手段として通信方法は問わず、Ｂｌｕｅｔｏｏｔｈ（登録商標）、ＴｒａｎｓｆａｒＪｅｔ（登録商標）、ＵＷＢ等を利用しても良い。
【００１８】
制御部１１(不図示)は、マイクロコンピュータからなる中央処理装置（以下、「ＭＰＵ」と称する）であり、前記撮像手段の撮像制御、前記近接検知手段の検知制御、前記通信手段によるデジタルカメラ１０（後述）との通信制御、等、ウエアラブルディスプレイ１全体の動作制御を司る。
【００１９】
グリップ部１５は、撮影者がデジタルカメラ１０を使用する場合に、右手で握るための形状であり、撮影者から見てデジタルカメラ１０のマウントより右側に設けられる。図２は、本実施例の撮像装置システムにおける、撮像装置としてのデジタルカメラ１０の斜視図である。
【００２０】
デジタルカメラ１０は、近接検知手段５Ｃ、通信手段６Ｃ、姿勢検知手段７、撮像手段８、ファインダー９を持つ。近接検知手段５Ｃは、ＮＦＣ（近距離無線通信）アンテナにより構成され、ウエアラブルディスプレイ１に配置された近接検知手段（右）５Ｒもしくは近接検知手段（左）５Ｌの近接を検知する。
【００２１】
通信手段６Ｃは、ワイヤレスＬＡＮ（Ｗｉ−Ｆｉ（登録商標））モジュールで構成され、ウエアラブルディスプレイ１との非接触通信に用いられる。本実施例のデジタルカメラ１０においては、撮像中のスルー画や記録画像等種々のデータを、別の端末と通信する用途にも用いられる。前記通信手段６と同様、非接触通信が可能な手段であれば通信方法は問わない。
【００２２】
姿勢検知手段７は、不図示の基板に実装された、一般に市販されている１軸２方向の傾斜センサによって構成され、地平面に対する、デジタルカメラ１０の縦位置と横位置を判別する為に用いる。デジタルカメラ１０の縦位置と横位置を判別できれば、その方法は問わず、加速度センサや、重力によって可動するリーフ接片を用いたメカ機構で構成してもよい。
【００２３】
撮像手段８は、不図示の撮影レンズを通して撮像を行うＣＭＯＳセンサおよび付随する処理回路である。本実施例におけるデジタルカメラ１０による撮像方法の詳細は図３にて後述する。
【００２４】
制御部１２（不図示）は、デジタルカメラ１０に内蔵された不図示の基板に表面実装されたマイクロコンピュータからなる中央処理装置（以下、「ＭＰＵ」と称する）であり、デジタルカメラ１０の動作制御を司る。デジタルカメラ１０に搭載された各要素に対して様々な処理や指示を実行する。
【００２５】
図３は、本実施例の撮像装置システムにおける、ウエアラブルディスプレイ１とデジタルカメラ１０の制御構成を示すブロック図である。近接検知部（左）５Ｌもしくは近接検知部（右）５Ｒと、近接検知部５Ｃの近接が検知された状態において、デジタルカメラ１０の姿勢検知部７からの姿勢情報をデジタルカメラ１０の制御部１２によって判断し、その姿勢情報を通信部６Ｃと通信部６を用いてウエアラブルディスプレイ１の制御部１１に送り、制御部１１が、近接検知部（左）５Ｌもしくは近接検知部（右）５Ｒとの近接検知状態と、前記姿勢情報との組み合わせによって、表示部（左）４Ｌもしくは表示部（右）４Ｒの表示制御を実施する。制御内容の詳細は図４にて後述する。
【００２６】
図４は、デジタルカメラ１０の使用者がウエアラブルディスプレイ１を装着している状態で、デジタルカメラ１０のファインダー９を右目で使用する場合のデジタルカメラ１０の保持姿勢とウエアラブルディスプレイ１の位置関係を表す図である。このとき、ウエアラブルディスプレイ１に設置された近接検知手段（右）５Ｒおよび近接検知手段（左）５Ｌとデジタルカメラ１０に設置された近接検知手段５Ｃが近接することで、左右どちらの目でデジタルカメラ１０のファインダー９を覗いているか判別する。
【００２７】
図４（ａ）は、撮影者がデジタルカメラ１０を正（横）位置で構え、右目でファインダーを覗いている状態である。このとき撮影者の左目は、ウエアラブルディスプレイ１の表示手段（左）４Ｌが透過状態にあり、また、デジタルカメラ１０に阻害されることなく肉眼での視野を確保しており、撮影時の周辺視野の確保が可能な状態となっている。
【００２８】
図４（ｂ）は、撮影者がデジタルカメラ１０をグリップ部１５を下にした縦位置で構え、右目でファインダー９を覗いている状態である。デジタルカメラ１０により、撮影者の左目の肉眼での視野が遮られている状態となる。このとき、ウエアラブルディスプレイ１の表示手段（左）４Ｌに撮像手段（右）３Ｒで撮影された撮影者の周辺環境の映像を非透過で表示することで、撮影補助として、撮影者左目の視野を映像で補完する事ができる。
【００２９】
図４（ｃ）は、撮影者がデジタルカメラ１０をグリップ部１５を上にした縦位置で構え、右目でファインダーを覗いている状態である。このときの左目の状態は、前記図４（ａ）と同様に、ウエアラブルディスプレイ１の表示手段（左）４Ｌが透過状態にあり、また、デジタルカメラ１０に阻害されることなく肉眼での視野を確保しており、撮影時の周辺視野の確保が可能な状態となっている。図５は、デジタルカメラ１０の使用者がウエアラブルディスプレイ１を装着している状態で、デジタルカメラ１０のファインダー９を左目で使用する場合のデジタルカメラ１０の保持姿勢とウエアラブルディスプレイ１の位置関係を表す図である。
【００３０】
図５（ａ）は、撮影者がデジタルカメラ１０を正（横）位置で構え、左目でファインダーを覗いている状態である。デジタルカメラ１０およびグリップ部１５を握っている撮影者の手によって、撮影者の右目の肉眼での視野が遮られている状態となる。このとき、ウエアラブルディスプレイ１の表示手段（右）４Ｒに撮像手段（左）３Ｌで撮影された撮影者の周辺環境の映像を非透過で表示することで、撮影補助として、撮影者右目の視野を映像で補完する事ができる。
【００３１】
図５（ｂ）は、撮影者がデジタルカメラ１０をグリップ部１５を下にした縦位置で構え、左目でファインダー９を覗いている状態である。このとき撮影者の右目は、ウエアラブルディスプレイ１の表示手段（右）４Ｒが透過状態にあり、また、デジタルカメラ１０に阻害されることなく肉眼での視野を確保しており、撮影時の周辺視野の確保が可能な状態となっている。
【００３２】
図５（ｃ）は、撮影者がデジタルカメラ１０をグリップ部１５を上にした縦位置で構え、左目でファインダー９を覗いている状態である。撮影者の右目の肉眼での視野が遮られている状態となる。前記図５（ａ）と同様の表示制御を行う事で、撮影者右目の視野を映像で補完する事ができる。
【００３３】
図６は、デジタルカメラ１０とウエアラブルディスプレイ１の位置関係によるウエアラブルディスプレイへの表示制御を表したフローであり、その制御内容は図５で前述の通りである。デジタルカメラ１０の電源が投入された後、デジタルカメラ１０の姿勢を判断、ウエアラブルディスプレイ１の接眼を検知し、表示部に対する表示を制御する。ウエアラブルディスプレイ１の接眼が非検知となった場合、撮影者がファインダー９から目を離したとみなし、フロー１の通りに制御を行う。接眼が検知されている状態で、撮影者がデジタルカメラ１０のＳＷ１を押した場合、測光・測距を行い、ＳＷ１を離さずＳＷ２が押された場合に、撮影動作を行う。
【００３４】
撮影動作後、フロー１の通りに制御を行う。このとき、ＳＷ１に相当する操作部材は、デジタルカメラ１０に配置されたいかなるボタン、スイッチ類でも良く、また、省略されても良い。ＳＷ２は、デジタルカメラ１０の撮影動作の機能を持てば、いかなるボタン、スイッチ類でも良い。
【００３５】
図７は、ウエアラブルディスプレイ１の表示部に対する表示内容の一例を表したものである。図７（ａ）はウエアラブルディスプレイ１の表示手段が非透過である場合の、表示内容の一例である。撮像手段で撮影された、撮影者の周辺視野に相当する画像を表示する。図７（ｂ）のように前記図７（ａ）の画像表示に対し、撮影時の利便性向上のためデジタルカメラ１の設定内容を重畳表示してもよい。表示される項目、アイコン位置、透過率は任意に変更が可能であっても良い。
【００３６】
図７（ｃ）は、はウエアラブルディスプレイ１の表示手段が透過である場合の、表示内容の一例である。肉眼での視野を確保できるよう、デジタルカメラ１０の設定内容を視野周辺に配置している。表示内容は任意に設定が可能であり、設定により表示しなくても良い。
【００３７】
以上、撮影者が保持するデジタルカメラ姿勢の違いに対応して、ウエアラブルディスプレイに表示する表示内容を好適に制御することを可能にした、撮像装置システムを提供することができる。
【符号の説明】
【００３８】
１  ウエアラブルディスプレイ
３  撮像装置
４  表示装置
５  近接検知センサ
６  通信手段
７  姿勢検知センサ
８  撮像装置
９  ファインダー
１０  デジタルカメラ
【図１】
2018042154.tif 000003
【図２】
2018042154.tif 000004
【図３】
2018042154.tif 000005
【図４】
2018042154.tif 000006
【図５】
2018042154.tif 000007
【図６】
2018042154.tif 000008
【図７】
2018042154.tif 000009